(57)【特許請求の範囲】
【請求項１】
複数の駆動電極と複数のセンサ電極とをこれらの間の絶縁を保ちつつ格子状に重ねたセンサパターンを有するタッチパネルと、
前記各駆動電極に駆動信号を印加するとともに、前記駆動電極と前記センサ電極との交点部分に形成されたコンデンサ毎の静電容量変化に基づいて前記タッチパネルの操作面に対するタッチ操作を検出するコントローラと、を備えるタッチ式入力装置において、
前記コントローラは、
予め設定された前記コンデンサ毎の基準値に対する静電容量の変化量を示すデータ群に基づいてタッチ操作の有無を判定し、
起動時における前記コンデンサ毎の寄生容量を取得することで前記基準値を設定し、
複数の前記コンデンサからなるセンサ群において取得した寄生容量のばらつき範囲が予め設定された規定範囲よりも大きいことを条件に、誤った基準値を取得したと判定し、当該誤った基準値を取得したと判定した場合には、寄生容量を再度取得する
ことを特徴とするタッチ式入力装置。
【請求項２】
複数の駆動電極と複数のセンサ電極とをこれらの間の絶縁を保ちつつ格子状に重ねたセンサパターンを有するタッチパネルと、
前記各駆動電極に駆動信号を印加するとともに、前記駆動電極と前記センサ電極との交点部分に形成されたコンデンサ毎の静電容量変化に基づいて前記タッチパネルの操作面に対するタッチ操作を検出するコントローラと、を備えるタッチ式入力装置において、
前記コントローラは、
予め設定された前記コンデンサ毎の基準値に対する静電容量の変化量を示すデータ群に基づいてタッチ操作の有無を判定し、
起動時における前記コンデンサ毎の寄生容量を取得することで前記基準値を設定し、
複数の前記コンデンサからなるセンサ群において取得した寄生容量のばらつき範囲が予め設定された規定範囲よりも小さい判定範囲よりも小さいことを条件に、誤った基準値を取得したと判定し、当該誤った基準値を取得したと判定した場合には、寄生容量を再度取
得する
ことを特徴とするタッチ式入力装置。
【発明の詳細な説明】
【技術分野】
【０００１】
本発明は、タッチ操作を検出するタッチ式入力装置に関する。
【背景技術】
【０００２】
従来、タッチパネルをタッチ操作することで、ディスプレイに表示されたマウスポインタ等の操作を行うタッチ式入力装置が知られている（例えば、特許文献１参照）。このタッチ式入力装置では、ユーザがタッチパネルの操作面に触れることで、例えばディスプレイに表示された複数の機能項目の中から一つを選択して、所望の画面を表示させたり付帯機器を作動させたりすることが可能になっている。また、近年では、タッチ操作として、単に操作面に接触する操作だけでなく、例えばタッチパネルの操作面をある一方向へなぞったり払ったりするなぞり操作（フリック操作）を検出するようにしたタッチ式入力装置が提案されている。なお、こうしたなぞり操作は、例えばディスプレイに表示する画面をそのなぞり方向へスクロールするといった特定の機能と対応付けられる。
【０００３】
さて、こうしたタッチ式入力装置としては、複数の駆動電極と複数のセンサ電極とを格子状に配置してなるセンサパターンに形成されるコンデンサの静電容量に基づいてタッチ操作を検出する投影型静電容量方式のものがある。このうち、駆動電極とセンサ電極との交点部分に形成されたコンデンサ毎の静電容量の変化を検出する相互容量方式では、同時に複数のタッチ位置を検出することが可能になるといった利点がある。
【先行技術文献】
【特許文献】
【０００４】
【特許文献１】特開２０１０−９３２１号公報
【発明の概要】
【発明が解決しようとする課題】
【０００５】
ところで、相互容量方式のタッチ式入力装置において、温度等の周囲環境の影響や経年劣化によって寄生容量が変化すると、静電容量の変化量を判定することができなくなる。このため、タッチ式入力装置の起動時に静電容量の変化量を検出するための基準値を取得して更新することで寄生容量の変化に対応している。しかしながら、起動時に物体が接触していたり、外来ノイズが存在していたりした場合には、寄生容量が本来の値から変化しているので、誤った基準値を取得して、タッチ操作を適切に検出することが困難になることがある。
【０００６】
本発明は、こうした実情に鑑みてなされたものであり、その目的は、起動時に誤った基準値を取得したとしても、タッチ操作を適切に検出することができるタッチ式入力装置を提供することにある。
【課題を解決するための手段】
【０００７】
以下、上記課題を解決するための手段及びその作用効果について説明する。
上記課題を解決するタッチ式入力装置は、複数の駆動電極と複数のセンサ電極とをこれらの間の絶縁を保ちつつ格子状に重ねたセンサパターンを有するタッチパネルと、前記各駆動電極に駆動信号を印加するとともに、前記駆動電極と前記センサ電極との交点部分に形成されたコンデンサ毎の静電容量変化に基づいて前記タッチパネルの操作面に対するタッチ操作を検出するコントローラと、を備えるタッチ式入力装置において、前記コントローラは、予め設定された前記コンデンサ毎の基準値に対する静電容量の変化量を示すデータ群に基づいてタッチ操作の有無を判定し、起動時における前記コンデンサ毎の寄生容量を取得することで前記基準値を設定し、複数の前記コンデンサからなるセンサ群において取得した寄生容量のばらつき範囲に基づいて誤った基準値を取得したと判定した場合には、寄生容量を再度取得することをその要旨としている。
【０００８】
コンデンサ毎の寄生容量は製品構成によって予めある程度決まった値となる。そこで、上記構成によれば、誤った基準値を取得した場合には、複数のコンデンサからなるセンサ群において取得した寄生容量のばらつき範囲が変化するので、この寄生容量のばらつき範囲に基づいて誤った基準値を取得したと判定することができる。そして、正しい基準値となる寄生容量を再度取得するので、寄生容量が変化したとしても、タッチ操作を適切に検出することができる。
【０００９】
上記タッチ式入力装置について、複数の前記コンデンサからなるセンサ群において取得した寄生容量のばらつき範囲が予め設定された規定範囲よりも大きいことを条件に、誤った基準値を取得したと判定することが好ましい。
【００１０】
上記構成によれば、外来ノイズや異物が存在した状態で寄生容量を取得すると、コンデンサの寄生容量が大きく変動するので、複数のコンデンサの寄生容量のばらつき範囲が規定範囲よりも大きくなる。このようなときに、誤った基準値を取得したと判定することができる。
【００１１】
上記タッチ式入力装置について、複数の前記コンデンサからなるセンサ群において取得した寄生容量のばらつき範囲が予め設定された規定範囲の第２範囲よりも小さいことを条件に、誤った基準値を取得したと判定することが好ましい。
【００１２】
上記構成によれば、導電性の異物がセンサ群の全体に存在すると、取得されるコンデンサの寄生容量が抑制されるので、複数のコンデンサの寄生容量のばらつき範囲が規定範囲よりも更に小さい第２範囲よりも小さくなる。このようなときに、誤った基準値を取得したと判定することができる。
【００１３】
上記タッチ式入力装置について、複数の前記コンデンサからなるセンサ群において各前記コンデンサの取得した寄生容量が予め設定された規定範囲よりも大きいことを条件に、誤った基準値を取得したと判定することが好ましい。
【００１４】
上記構成によれば、外来ノイズや異物が存在した状態で寄生容量を取得すると、コンデンサの寄生容量が大きく変動するので、影響を受けたコンデンサの寄生容量が規定範囲よりも大きくなる。このようなときに、誤った基準値を取得したと判定することができる。
【発明の効果】
【００１５】
本発明によれば、寄生容量が変化したとしても、タッチ操作を適切に検出することができる。
【図面の簡単な説明】
【００１６】
【図１】タッチ式入力装置の第１の実施形態における車両に搭載した状態を示す図。
【図２】同タッチ式入力装置のタッチパネルの操作面及びその近傍を示す平面図。
【図３】同タッチ式入力装置のタッチパネルの図２の３−３断面図。
【図４】同タッチ式入力装置の概略構成を示すブロック図。
【図５】同タッチ式入力装置の状態遷移を示す図。
【図６】同タッチ式入力装置の基準値再取得条件成立判定処理を示すフローチャート。
【図７】同タッチ式入力装置における基準値再取得処理を示すフローチャート。
【図８】同タッチ式入力装置の通常時における検出値を示す図。
【図９】同タッチ式入力装置の基準値再取得条件成立時における検出値を示す図。
【図１０】（ａ）は同タッチ式入力装置の操作面に導電性の異物が接触した状態のタッチパネルを示す模式図、（ｂ）は（ａ）の状態でのデータ群を示す図。
【図１１】（ａ）は同タッチ式入力装置の操作面に指が接触した状態のタッチパネルを示す模式図、（ｂ）は（ａ）の状態でのデータ群を示す図。
【図１２】タッチ式入力装置の第２の実施形態における基準値再取得条件成立判定処理を示すフローチャート。
【図１３】同タッチ式入力装置における基準値再取得処理を示すフローチャート。
【図１４】同タッチ式入力装置の設定時における検出値を示す図。
【図１５】同タッチ式入力装置の基準値再取得条件成立時における検出値を示す図。
【図１６】タッチ式入力装置の第３の実施形態における基準値再取得条件成立判定処理を示すフローチャート。
【図１７】同タッチ式入力装置における基準値再取得処理を示すフローチャート。
【図１８】同タッチ式入力装置の設定時における検出値を示す図。
【図１９】同タッチ式入力装置の基準値再取得条件成立時における検出値を示す図。
【発明を実施するための形態】
【００１７】
（第１の実施形態）
以下、図１〜図１１を参照して、タッチ式入力装置の第１の実施形態について説明する。
【００１８】
図１に示すように、ダッシュボード１の中央部（センタークラスタ）にはディスプレイ２が設けられている。センターコンソール４には、シフトレバー５が設けられており、その手前側には、タッチ式入力装置１０のタッチパネル１１がその操作面１１ａを露出させる態様で埋設されている。すなわち、本実施形態のタッチ式入力装置１０は車両に搭載されている。そして、ユーザは、指やスタイラス等の導電体を用いてタッチパネル１１をタッチ操作することにより、ディスプレイ２に表示された所望の機能項目の選択及び決定を行い、エアコンディショナやカーナビゲーション等の車載機器に所望の動作を実行させることが可能となっている。なお、タッチ操作には、単に操作面１１ａに接触する操作だけでなく、例えばタッチパネル１１の操作面１１ａをある一方向へなぞったり払ったりするなぞり操作（フリック操作）も含まれる。
【００１９】
図２及び図３に示すように、タッチパネル１１には、複数の駆動電極１２と複数のセンサ電極１３とをこれらの間の絶縁を保ちつつ格子状に重ねたセンサパターン１４が設けられている。なお、図２では、説明の便宜上、駆動電極１２を７本、センサ電極１３を５本だけ示している。
【００２０】
具体的には、タッチパネル１１は、駆動電極１２が配置される駆動基板１５と、駆動基板１５上に設けられるとともにセンサ電極１３が配置されるセンサ基板１６と、センサ基板１６上に設けられるカバー１７とを備えている。駆動基板１５、センサ基板１６及びカバー１７は、それぞれ絶縁性材料からなる。そして、カバー１７の上面の一部がタッチパネル１１の操作面１１ａを構成している。
【００２１】
駆動電極１２及びセンサ電極１３は、それぞれ導電性材料からなり、帯状に形成されている。そして、駆動電極１２は、駆動基板１５における操作面１１ａと対向する範囲内で互いに平行になるように一方向（Ｘ方向）に沿って配置されている。一方、センサ電極１３は、センサ基板１６における操作面１１ａと対向する範囲内で互いに平行になるように上記一方向と直交する方向（Ｙ方向）に沿って配置されている。これにより、駆動電極１２及びセンサ電極１３によって格子状のセンサパターン１４が操作面１１ａ内に形成されるとともに、図３において二点鎖線で示すように、駆動電極１２とセンサ電極１３との交点部分にはコンデンサＣが形成されている。なお、本実施形態では、駆動電極１２及びセンサ電極１３は、それぞれ接着剤１８により駆動基板１５及びセンサ基板１６に固定されている。
【００２２】
図４に示すように、タッチ式入力装置１０は、上記タッチパネル１１と、そのセンサパターン１４に駆動信号（パルス信号）を印加してタッチ操作を検出するコントローラ２１とを備えている。なお、本実施形態のコントローラ２１は、上記交点部分に形成されたコンデンサＣ毎の静電容量が変化することにより生じる充放電電流に基づいてタッチ位置を検出する相互容量方式を採用している。
【００２３】
具体的には、コントローラ２１は、各駆動電極１２に接続される駆動部２２と、各センサ電極１３に接続される検出部２３と、駆動部２２及び検出部２３の動作を制御する制御部２４とを有している。駆動部２２は、制御部２４からの制御信号に基づいて、駆動信号を生成するとともに、駆動電極１２を少なくとも１本ずつ選択して生成した駆動信号を印加する。検出部２３は、制御部２４からの制御信号に基づいて、センサ電極１３を少なくとも１本ずつ選択し、駆動電極１２に印加された駆動信号に応じて該センサ電極１３に流れる充放電電流を出力信号として受信する。また、検出部２３は、センサ電極１３のそれぞれから出力される出力信号に基づいてコンデンサＣ毎の静電容量を検出し、これらコンデンサＣ毎の静電容量を示す検出信号を制御部２４に出力する。そして、制御部２４は、検出信号に基づいてタッチ操作及びその座標を検出し、その検出結果をディスプレイ２に出力する。
【００２４】
ここで、制御部２４は、予め設定されたコンデンサＣ毎の基準値に対する静電容量の変化量を検出することでタッチ操作の有無を判定する。なお、本実施形態では、図１０（ａ）に示されるように、導電性の異物がタッチパネル１１に接触した場合には、図１０（ｂ）に示されるように、静電容量が変化する極性をマイナスとする。また、図１１（ａ）に示されるように、指等がタッチパネル１１に接触した場合には、図１１（ｂ）に示されるように、静電容量が変化する極性をプラスとする。
【００２５】
図４に示すように、制御部２４には、メモリ２４ａが設けられている。メモリ２４ａには、センサパターン１４の交点部分に形成されるコンデンサＣ毎に予め設定された基準値が記憶されている。なお、制御部２４は、温度等の周囲環境の影響や経年劣化によってコンデンサＣの寄生容量が変化するので、起動時にコンデンサＣの寄生容量を取得することで現状に即した基準値に設定している。
【００２６】
ところが、起動時に物体が接触していたり、外来ノイズが存在していたりした場合には、寄生容量が本来の値から変化しているので、誤った基準値を取得して、タッチ操作を適切に検出することが困難になることがある。そこで、制御部２４は、起動時に検出したコンデンサＣの静電容量（寄生容量）のばらつき範囲に基づいて、誤った基準値を取得したと判定した場合には、コンデンサＣの寄生容量を再度取得する。
【００２７】
制御部２４は、検出部２３から検出信号が入力されると、基準値に対するコンデンサＣ毎の静電容量の変化量を示すデータ群に基づいてタッチ操作の有無を判定する。具体的には、データ群の少なくとも１つのデータ（基準値に対する各コンデンサＣのうちの少なくとも１つの静電容量）の変化量が所定のプラスの値に設定されたタッチ判定閾値以上となった場合にタッチ操作が有った、すなわちタッチ操作が行われたと判定する。
【００２８】
次に、図５を参照して、タッチ式入力装置１０の状態遷移について説明する。
図５に示すように、タッチ式入力装置１０のコントローラ２１は、電源がＯＮされて起動されると、まず初期設定を行う初期設定状態（ステップＳ１００）に移行する。初期設定では、静電検出ＩＣの設定、及び寄生容量値の補正が行われる。すなわち、コントローラ２１の制御部２４は、寄生容量値の補正として基準値を取得する。制御部２４は、基準値の取得が完了すると、タッチ操作の検出を行う通常状態（ステップＳ１０１）となる。
【００２９】
制御部２４は、タッチ操作がない（タッチＯＦＦ）状態（ステップＳ１０２）においては、温度変化によって基準値が変化するので、制御基準値を温度変化に対応する基準値に更新する。
【００３０】
制御部２４は、タッチＯＦＦ状態（ステップＳ１０２）において、温度変化に対する基準値の更新を行う。すなわち、制御部２４は、温度変化によってコンデンサＣの寄生容量が変化するので、温度に基づいて基準値を変更する。また、制御部２４は、タッチＯＦＦ状態（ステップＳ１０２）において、データ群に基づいてタッチ操作が有ると判定すると、指の検出ありとしてタッチ操作がある（タッチＯＮ）状態（ステップＳ１０３）に移行する。制御部２４は、タッチＯＮ状態（ステップＳ１０３）において、タッチ操作の座標位置を演算し、その検出結果をディスプレイ２に出力する。
【００３１】
制御部２４は、初期設定状態（ステップＳ１００）において、基準値を設定する際に、複数のコンデンサＣからなるセンサ群において取得した寄生容量のばらつき範囲に基づいて誤った基準値を取得したと判定した場合には、寄生容量を再度取得する。すなわち、本実施形態の制御部２４は、センサ群に含まれるコンデンサＣの検出値のばらつき範囲が予め設定された規定範囲よりも大きいことを条件に、誤った基準値を取得したと判定する。一方で、制御部２４は、センサ群に含まれるコンデンサＣの検出値のばらつき範囲が規定範囲以下であることを条件に、正しい基準値を取得したと判定する。
【００３２】
次に、図６を参照して、制御部２４による基準値再取得条件成立判定処理を説明する。制御部２４は、初期設定状態（ステップＳ１００）において、基準値の再取得が必要であるか否かを判定している。
【００３３】
図６に示されるように、制御部２４は、検出部２３から検出信号が入力されると（ステップＳ２１）、検出値のばらつき範囲Ａが規定範囲Ｂ外であるか否かを判定する（ステップＳ２２）。すなわち、図８に示されるように、制御部２４は、センサ群に含まれるデータ群のデータ値（検出値）のうち最大値と最小値との差をばらつき範囲Ａとして、このばらつき範囲Ａが規定範囲Ｂよりも大きいか否かを判定する。ここで、規定範囲Ｂは、工場等での新規設定時に取得された基準値のばらつき範囲Ａよりも若干大きい範囲である。そして、図９に示されるように、基準値が取得される際にユーザのタッチ操作や外来ノイズ、操作面１１ａに異物がある状態であると、タッチ操作があったコンデンサＣ部分の検出値が規定範囲Ｂよりもプラスに大きな値となり、操作面に導電性の異物があったコンデンサＣ部分の検出値が規定範囲Ｂよりもマイナスに大きな値となる。なお、外来ノイズがあったコンデンサＣ部分の検出値は、プラスやマイナスのどちらにも大きな値となる可能性がある。このため、検出値のばらつき範囲Ａが規定範囲Ｂよりも大きくなる。
【００３４】
図６に示されるように、制御部２４は、検出値のばらつき範囲Ａが規定範囲Ｂ以下である（図８のような検出結果）と判定した場合には（ステップＳ２２：ＮＯ）、通常処理に移行する（ステップＳ２４）。通常処理とは、通常状態（ステップＳ１０１）において、タッチ操作の検出を行うことである。
【００３５】
また、制御部２４は、検出値のばらつき範囲Ａが規定範囲Ｂよりも大きい（図９のような検出結果）と判定した場合には（ステップＳ２２：ＹＥＳ）、基準値が誤っている可能性が高いので、基準値再取得処理に移行する（ステップＳ２３）。なお、基準値再取得処理は、新たに入力された検出信号に基づいて基準値を再度設定する処理である。本実施形態の基準値再取得条件成立判定処理では、センサ群全体のばらつき範囲をみることで判定するので、センサ群の検出値の最小値と最大値とから容易に判定することができる。
【００３６】
次に、図７を参照して、制御部２４による基準値再取得処理を説明する。
図７に示すように、制御部２４は、検出部２３から検出信号が入力されると（ステップＳ２５）、検出値のばらつき範囲Ａが規定範囲Ｂ内であるか否かを判定する（ステップＳ２６）。すなわち、図８に示されるように、制御部２４は、センサ群に含まれるデータ群のデータ値のうち最大値と最小値との差をばらつき範囲Ａとして、このばらつき範囲Ａが規定範囲Ｂ内であるか否かを判定する。
【００３７】
その結果、制御部２４は、検出値のばらつき範囲Ａが規定範囲Ｂ内でない（図９のような検出結果）と判定すると（ステップＳ２６：ＮＯ）、通常処理に移行する（ステップＳ２８）。すなわち、制御部２４は、検出値のばらつき範囲Ａが規定範囲Ｂよりも大きいので、誤った基準値が含まれる可能性があると判定して、基準値を設定せず、通常処理を行う。
【００３８】
また、制御部２４は、検出値のばらつき範囲Ａが規定範囲Ｂ内である（図８のような検出結果）と判定すると（ステップＳ２６：ＹＥＳ）、検出信号から基準値を設定し（ステップＳ２７）、通常処理に移行する（ステップＳ２８）。すなわち、制御部２４は、検出値のばらつき範囲Ａが規定範囲Ｂ以下であるので、誤った基準値が含まれないと判定して、基準値を設定した上で、通常処理を行う。
【００３９】
このように、本実施形態のタッチ式入力装置１０は、起動時に基準値を更新することで、温度変化や経年劣化等による静電容量（寄生容量）の変化に合わせるようにしている。そこで、制御部２４は、検出値のばらつき範囲Ａが規定範囲Ｂ内であるか否かを判定し、検出値のばらつき範囲Ａが規定範囲Ｂ内とならないときに、基準値を再取得することで、正しい基準値を取得して、タッチ操作を的確に検出することができるようになる。
【００４０】
以上説明したように、本実施形態によれば、以下の効果を奏することができる。
（１）起動時に誤った基準値を取得した場合には、複数のコンデンサＣからなるセンサ群において取得した寄生容量のばらつき範囲が変化するので、この寄生容量のばらつき範囲に基づいて誤った基準値を取得したと判定することができる。そして、正しい基準値となる寄生容量を再度取得するので、寄生容量が変化したとしても、タッチ操作を適切に検出することができる。
【００４１】
（２）外来ノイズや異物が存在した状態で寄生容量を取得すると、コンデンサＣの寄生容量が大きく変動するので、複数のコンデンサＣの寄生容量のばらつき範囲Ａが規定範囲Ｂよりも大きくなる。このようなときに、誤った基準値を取得したと判定することができる。
【００４２】
（第２の実施形態）
以下、図１２〜図１５を参照して、タッチ式入力装置の第２の実施形態について説明する。この実施形態のタッチ式入力装置は、基準値再取得成立条件が上記第１の実施形態と異なっている。以下、第１の実施形態との相違点を中心に説明する。
【００４３】
図１２を参照して、制御部２４による基準値再取得条件成立判定処理を説明する。
図１２に示されるように、制御部２４は、基準値の初期ばらつき範囲Ｃを算出する（ステップＳ３１）。制御部２４は、検出部２３から検出信号が入力されると（ステップＳ３２）、検出値の差Ｄが判定範囲Ｃ’よりも小さいか否かを判定する（ステップＳ３３）。すなわち、制御部２４は、センサ群に含まれるデータ群のデータ値（検出値）のうち最大値と最小値との差をばらつき範囲Ｄとして、このばらつき範囲Ｄが判定範囲Ｃ’よりも小さいか否かを判定する。ここで、図１４に示されるように、初期ばらつき範囲Ｃは、起動時等での新規設定時に取得された基準値のうち最大値と最小値との差であって、規定範囲に相当する。また、判定範囲Ｃ’は、初期ばらつき範囲Ｃの規定割合であって判定範囲に相当する。例えば規定割合を５０％とする。そして、図１５に示されるように、基準値が取得される際に、ユーザのタッチ操作や外来ノイズ、操作面１１ａの異物が取り除かれると、検出値の差Ｄが判定範囲Ｃ’よりも小さくなる。
【００４４】
図１２に示されるように、制御部２４は、検出値の差Ｄが判定範囲Ｃ’以上であると判定した場合には（ステップＳ３３：ＮＯ）、通常処理に移行する（ステップＳ３４）。通常処理とは、通常状態（ステップＳ１０１）において、タッチ操作の検出を行うことである。
【００４５】
また、制御部２４は、検出値の差Ｄが判定範囲Ｃ’よりも小さい（図１５のような検出結果）と判定した場合には（ステップＳ３３：ＹＥＳ）、基準値が誤っている可能性が高いので、基準値再取得処理に移行する（ステップＳ３４）。本実施形態の基準値再取得条件成立判定処理では、センサ群全体のばらつき範囲をみることで判定するので、センサ群の検出値の最小値と最大値とから容易に判定することができる。
【００４６】
次に、図１３を参照して、制御部２４による基準値再取得処理を説明する。
図１３に示すように、制御部２４は、検出部２３から検出信号が入力されると（ステップＳ３６）、検出値の差Ｄが判定範囲Ｃ’よりも小さいか否かを判定する（ステップＳ３７）。
【００４７】
その結果、制御部２４は、検出値の差Ｄが判定範囲Ｃ’以上であると判定すると（ステップＳ３７：ＮＯ）、通常処理に移行する（ステップＳ３９）。すなわち、制御部２４は、検出値の差Ｄが判定範囲Ｃ’以上であるので、誤った基準値が含まれる可能性があると判定して、基準値を設定せず、通常処理を行う。
【００４８】
また、制御部２４は、検出値の差Ｄが判定範囲Ｃ’よりも小さい（図１５のような検出結果）と判定すると（ステップＳ３７：ＹＥＳ）、検出信号から基準値を設定し（ステップＳ３８）、通常処理に移行する（ステップＳ３９）。すなわち、制御部２４は、検出値の差Ｄが判定範囲Ｃ’よりも小さいので、誤った基準値が含まれないと判定して、基準値を設定した上で、通常処理を行う。
【００４９】
このように、本実施形態のタッチ式入力装置１０は、第１の実施形態のタッチ式入力装置１０と同様に、正しい基準値を取得して、タッチ操作を的確に検出することができるようになる。
【００５０】
以上説明したように、本実施形態によれば、第１の実施形態の（１）の効果に加え、以下の効果を奏することができる。
（３）導電性の異物がセンサ群の全体に存在すると、取得されるコンデンサＣの寄生容量が抑制されるので、複数のコンデンサＣの寄生容量のばらつき範囲が初期ばらつき範囲Ｃよりも更に小さい判定範囲Ｃ’よりも小さくなる。このようなときに、誤った基準値を取得したと判定することができる。
【００５１】
（第３の実施形態）
以下、図１６〜図１９を参照して、タッチ式入力装置の第３の実施形態について説明する。この実施形態のタッチ式入力装置は、基準値再取得成立条件が上記第１の実施形態と異なっている。以下、第１の実施形態との相違点を中心に説明する。
【００５２】
図１６を参照して、制御部２４による基準値再取得条件成立判定処理を説明する。
図１６に示されるように、制御部２４は、検出値の規定値の読み出しを行う（ステップＳ４１）。制御部２４は、検出部２３から検出信号が入力されると（ステップＳ４２）、検出値が規定範囲Ｅ外であるか否かを判定する（ステップＳ４３）。すなわち、図１８に示されるように、制御部２４は、センサ群に含まれるデータ群のデータ値（検出値）それぞれが規定範囲Ｅよりも大きかったり、小さかったりしないか否かを判定する。ここで、規定範囲Ｅは、工場等での新規設定時に取得された基準値に対する許容範囲である。そして、図１９に示されるように、基準値が取得される際にユーザのタッチ操作や外来ノイズ、操作面１１ａに異物がある状態であると、検出値が規定範囲Ｅよりも大きくなったり、小さくなったりする。
【００５３】
図１６に示されるように、制御部２４は、検出値が規定範囲Ｅ内である（図１９のような検出結果）と判定した場合には（ステップＳ４３：ＮＯ）、通常処理に移行する（ステップＳ４５）。通常処理とは、通常状態（ステップＳ１０１）において、タッチ操作の検出を行うことである。
【００５４】
また、制御部２４は、検出値が規定範囲Ｅ外である（図１７のような検出結果）と判定した場合には（ステップＳ４３：ＹＥＳ）、基準値が誤っている可能性が高いので、基準値再取得処理に移行する（ステップＳ４４）。本実施形態の基準値再取得条件成立判定処理では、センサ１つずつのばらつき範囲をみることで判定するので、各センサの異常を正確に判定することができる。
【００５５】
次に、図１７を参照して、制御部２４による基準値再取得処理を説明する。
図１７に示すように、制御部２４は、検出部２３から検出信号が入力されると（ステップＳ４６）、検出値が規定範囲Ｅ内であるか否かを判定する（ステップＳ４７）。すなわち、図１８に示されるように、制御部２４は、センサ群に含まれるデータ群のデータ値がそれぞれ規定範囲Ｅ内であるか否かを判定する。
【００５６】
その結果、制御部２４は、検出値が規定範囲Ｅ外である（図１９のような検出結果）と判定すると（ステップＳ４７：ＮＯ）、通常処理に移行する（ステップＳ４９）。すなわち、制御部２４は、検出値のうち少なくとも一つが規定範囲Ｅよりも大きいので、誤った基準値が含まれる可能性があると判定して、基準値を設定せず、通常処理を行う。
【００５７】
また、制御部２４は、検出値が規定範囲Ｅ内である（図１８のような検出結果）と判定すると（ステップＳ４７：ＹＥＳ）、検出信号から基準値を設定し（ステップＳ４８）、通常処理に移行する（ステップＳ４９）。すなわち、制御部２４は、検出値がそれぞれ規定範囲Ｅ以下であるので、誤った基準値が含まれないと判定して、基準値を設定した上で、通常処理を行う。
【００５８】
このように、本実施形態のタッチ式入力装置１０は、第１の実施形態のタッチ式入力装置１０と同様に、正しい基準値を取得して、タッチ操作を的確に検出することができるようになる。
【００５９】
以上説明したように、本実施形態によれば、第１の実施形態の（１）の効果に加え、以下の効果を奏することができる。
（４）外来ノイズや異物が存在した状態で寄生容量を取得すると、コンデンサＣの寄生容量が大きく変動するので、影響を受けたコンデンサＣの寄生容量が規定範囲よりも大きくなる。このようなときに、誤った基準値を取得したと判定することができる。
【００６０】
なお、上記実施形態は、これを適宜変更した以下の形態にて実施することもができる。
・上記実施形態において、センサ群は、例えば１ラインや一部のエリア毎に任意に分割して形成することができる。
【００６１】
・上記実施形態において、規定範囲Ｂ、初期ばらつき範囲Ｃ、規定範囲Ｅを工場等での新規設定時に取得された基準値を基に設定した。しかしながら、ディーラやユーザが特定の操作を行った際に設定してもよい。
【符号の説明】
【００６２】
１…ダッシュボード、２…ディスプレイ、４…センターコンソール、５…シフトレバー、１０…タッチ式入力装置、１１…タッチパネル、１１ａ…操作面、１２…駆動電極、１３…センサ電極、１４…センサパターン、１５…駆動基板、１６…センサ基板、１７…カバー、２１…コントローラ、２２…駆動部、２３…検出部、２４…制御部、２４ａ…メモリ、Ｃ…コンデンサ。
【図１】
0006284839.tif 000002
【図２】
0006284839.tif 000003
【図３】
0006284839.tif 000004
【図４】
0006284839.tif 000005
【図５】
0006284839.tif 000006
【図６】
0006284839.tif 000007
【図７】
0006284839.tif 000008
【図８】
0006284839.tif 000009
【図９】
0006284839.tif 000010
【図１０】
0006284839.tif 000011
【図１１】
0006284839.tif 000012
【図１２】
0006284839.tif 000013
【図１３】
0006284839.tif 000014
【図１４】
0006284839.tif 000015
【図１５】
0006284839.tif 000016
【図１６】
0006284839.tif 000017
【図１７】
0006284839.tif 000018
【図１８】
0006284839.tif 000019
【図１９】
0006284839.tif 000020